(57)【特許請求の範囲】
【請求項１】
アプリケーションプログラムの実行が可能な移動体通信用端末装置において、
移動体通信網に接続するための通信設定情報と利用者によって設定されるユーザ設定情報とが記憶され、接続と非接続とが可能な携帯電子記憶装置と、
データが論理的に複数のグループに分割され、各グループは携帯電子記憶装置に記憶される通信設定情報とユーザ設定情報とをそれぞれ単独または組合わせて構成される識別情報に関連付けられて記憶され、さらに識別情報には関連付けられないデフォルトの記憶領域が設けられるデータ記憶部と、
データ記憶部のデータを選択する記憶選択部と、
記憶選択部によって選択されるデータを、アプリケーションプログラムがアクセスするように、データ記憶部の制御を行う記憶制御部とを含み、
記憶選択部は、携帯電子記憶装置が接続されているか否かを判断し、携帯電子記憶装置が接続されているときには携帯電子記憶装置から識別情報を読取り、識別情報によって関連付けられるグループのデータを選択し、携帯電子記憶装置が接続されていないときにはデフォルトの記憶領域のデータを選択し、
携帯電子記憶装置が接続されているときのみ、携帯電子記憶装置に記憶されている通信設定情報に基づいて移動体通信を行うように制御する通信制御部を、
さらに含むことを特徴とする移動体通信用端末装置。
【請求項２】
前記携帯電子記憶装置は、前記移動体通信網の標準規格に従って形成され、
携帯電子記憶装置が着脱可能なインタフェースと、
インタフェースに装着されている携帯電子記憶装置から読取る識別情報に基づいて、前記記憶選択部が前記データ記憶部のグループを関連付けて管理するための記憶管理テーブルとを、さらに含むことを特徴とする請求項１記載の移動体通信用端末装置。
【請求項３】
前記データ記憶部は、
データをグループ別に異なる記憶領域に分けて記憶し、
前記携帯電子記憶装置に記憶される識別情報に関連付けられる記憶領域が無い場合に、該識別情報に関連付けられるグループのデータ記憶用に新たな記憶領域を作成し、前記記憶管理テーブルを更新することを特徴とする請求項２記載の移動体通信用端末装置。
【請求項４】
前記記憶制御部は、前記データ記憶部の個々の記憶領域に対するアクセスを、該記憶領域に記憶されるデータのグループについて、前記記憶管理テーブルで関連付けられている識別情報を記憶している携帯電子記憶装置が前記インタフェースに装着されていないときに、禁止することを特徴とする請求項３記載の移動体通信用端末装置。
【請求項５】
前記データ記憶部は、記憶されているデータ毎に識別情報が付加されて、識別情報に対応するグループ分けが行われ、
前記記憶選択部は、付加された識別情報が前記識別情報と一致するデータのみを選択し、
前記記憶制御部は、アプリケーションプログラムがデータ記憶部にデータを書込む際に、該識別情報を付して記憶させるように制御することを特徴とする請求項１または２記載の移動体通信用端末装置。
【請求項６】
前記記憶選択部は、前記データ記憶部に対するアクセスを、前記携帯電子記憶装置に記憶されている識別情報と同一の識別情報が付加されているデータに対してのみ可能とすることを特徴とする請求項５記載の移動体通信用端末装置。
【請求項７】
前記データ記憶部にグループに分割されて記憶されるデータには、読出しのみが可能な固定データが含まれることを特徴とする請求項１〜６のいずれかに記載の移動体通信用端末装置。
【発明の詳細な説明】
【０００１】
【発明の属する技術分野】
本発明は、移動体通信網に接続して情報通信を行う移動体通信用端末装置に関する。
【０００２】
【従来の技術】
従来から、移動体通信網に接続して情報通信を行う移動体通信端末装置では、ＩＣカードなどの携帯電子記憶装置を接続して用いるものが使われている。携帯電子記憶装置には移動体通信網への接続に関する通信設定情報が予め格納されており、その情報を用いて移動体通信網への接続が行われる。このような方式の移動体通信用端末装置では、端末装置自体に移動体通信網への接続に関する通信設定情報は保持されておらず、携帯電子記憶装置を接続して、移動体通信網接続が可能になる。
【０００３】
このような方式の移動体通信用端末装置を使用する移動体通信網としては、欧州デジタル方式移動体通信の標準規格であるＧＳＭ（Global Systems for
Mobile communications）方式やＤＣＳ（Digital Communications Services）１８００方式、あるいは北米デジタル方式携帯電話の標準規格であるＰＣＳ（
Personal Communications Services）１９００方式などがある。これらの方式は、ＧＳＭ方式が８００ＭＨｚ、ＤＣＳ１８００方式が１８００ＭＨｚ、ＰＣＳ１９００方式が１９００ＭＨｚの周波数帯域で使用される点を除き、ほとんど同一のプロトコルを使用する。このため、これらに使用する移動体通信網に関する通信設定情報は、ＳＩＭ（Subscriber Identity Module）カードと呼ばれるＩＣカードに記録され、ＳＩＭカードは移動体通信用端末装置に設けられるインタフェースに着脱可能である。
【０００４】
図６は、ＳＩＭカードの外部的な機械的構成と内部的な論理的構成とをそれぞれ示す。図６（ａ）に示すように、ＳＩＭカード１の外形はクレジットカードなどと同様の形状である。電気絶縁性の合成樹脂基板２中に、ＩＣチップ３が埋め込まれ、基板２の表面の接続用電極４に電気的に接続されている。接続用電極４は、移動体通信用端末装置に設けられるインタフェースにＳＩＭカード１を装着した状態で移動体通信用端末装置とＩＣチップ３との間のアクセスが可能となるように、電気的接続を行う。なお、ＩＣチップ３と接続用電極４とを含む部分のみに合成樹脂基板２を形成して、小形化を図っているマイクロＳＩＭも使用されている。
【０００５】
図６（ｂ）に示すように、ＩＣチップ３には記憶領域３ｍが設けられ、通信用領域５とユーザ用領域６とに分けられる。通信用領域５には移動体通信網へ接続するための通信設定情報が記憶される。ユーザ用領域６には、移動体通信用端末装置から、ユーザが自由に設定することができる情報、ならびにユーザの移動体通信網への利用に応じて更新される情報として、ユーザ設定情報が記憶される。通信設定情報としては、ユーザが移動体通信用端末装置から設定内容を変更することができない固定的な情報、たとえば通信事業者の識別情報、個別の契約者の識別情報、携帯電子記憶装置自体の識別情報などが記憶される。また、接続する通信網の優先順位や接続を禁止する通信網の情報、移動体通信用端末装置を操作して変更可能であるか、または移動体通信用端末装置によって自動的に内容が変更される情報も記憶される。なお、記憶領域３ｍは、全体で数ｋバイトから１０数ｋバイト程度の記憶容量である。
【０００６】
たとえば、ＧＳＭ方式の場合に、通信設定情報として、契約者および登録移動体通信網を識別するためのＩＭＳＩ（International Mobile Subscription
Identity）、カードのグループを表すＧＩＤ１／２（Group IDentifier level 1/2）、通信網の優先順位を示すＰＬＭＮ（Public Land Mobile Network）
selectorや、接続することができない通信網を示すForbidden ＰＬＭＮ等がある。またユーザ設定情報には、電話番号帳、ショートメッセージサービスの設定情報とメッセージ、ダイアル履歴等が含まれる。これらのユーザ設定情報は、項目は固定されているけれども、内容はユーザが自由に変更可能である。ＧＳＭ方式の場合、ＳＩＭカード１のユーザ用領域６に、自局の電話番号であるＭＳＩＳＤＮ（Mobile Station International ISDN Number）、ユーザ電話番号帳である
Abbreviated Dialing Number、ダイアル履歴であるLast dialing Number、ショートメッセージ、ショートメッセージ設定情報であるShort Message Service
Parameters等がある。
【０００７】
図６に示すＳＩＭカード１のような携帯電子記憶装置は、ＧＳＭの標準規格に従って情報を記憶しておくので、ユーザ設定情報として自由に設定可能な項目は固定される。また記憶容量も充分でないことが多く、そのため移動体通信用端末装置側に自由に定義することができるユーザデータ記憶領域を備えるように構成した移動体通信用端末装置も用いられている。このような移動体通信用端末装置では、移動体通信用端末装置側に、ユーザが自由に、ユーザ電話番号帳や、アドレスブック、ショートメッセージなどをより多く保存することができ、また、予め移動体通信事業者のサービス用の電話番号などを固定の電話帳として保持することもできる。
【０００８】
また、通信事業者が行う新規の通信付加サービスや、通信網が新たにサポートする機能などで、それらに関する設定の情報が、携帯電子記憶装置の通信設定情報もしくはユーザ設定情報として定義されていない場合に、移動体通信用端末装置側でその情報を保持する機能を有している場合もある。たとえば、インターネットへアクセスするサービスを行う場合のドメインネームサーバ、ユーザＩＤ、ネットワークパスワードなどの設定情報、電子メールのサーバ名、メールアドレス、サーバへのアクセスユーザ名、パスワード、ＧＳＭ方式のＳＩＭカードには保持されない、データ通信やファクシミリ通信の受信のための電話番号などを保持する機能を有しているものもある。
【０００９】
移動体通信用端末装置は、全体を小型軽量化して構成する必要もある。移動体通信用端末装置を使い易くするためには、前述のように各種の情報を効率よく記憶する必要がある。ＩＣカードを用いて多目的なデータの記憶を行おうとする先行技術は、たとえば特許第２６０９６４５号公報（特開平１−１４７６８６）に開示されている。この先行技術では、ＩＣカードのメモリエリアを、データの性格あるいは利用用途にあわせて複数に分割し、それぞれのエリアに固有の番号を付与して管理する。さらに、多目的にデータを利用することが可能なように、データの記憶領域を定義する情報が格納される定義情報領域を複数設けている。
【００１０】
【発明が解決しようとする課題】
図６に示すようなＳＩＭカード１などの携帯電子記憶装置を用いて必要なデータを保持するようにしておくと、移動体通信用端末装置側にはデータを保持する必要がないので安全性に優れている。この反面、ＳＩＭカード１内部の記憶容量は限られており、記憶するデータの構造や種類の変更を行うことは容易ではない。移動体通信用端末装置側には、ＳＩＭカード１などに比較して充分な記憶領域を設けることができ、自由にデータの構造や種類を決定することができる。しかしながら、個々の情報は、接続されている携帯電子記憶装置が保持する通信設定情報やユーザ設定情報とは関係なく、すべて同一に扱われることになる。このため、複数の異なった設定情報を保持する携帯電子記憶装置を使用する場合、電子メールのサーバ名、メールアドレス、サーバへのアクセスユーザ名やパスワード、ＧＳＭ方式におけるデータ通信やファクシミリ通信の受信電話番号などの設定情報に関連付けられる情報を、携帯電子記憶装置を交換する毎に移動体通信用端末装置の内部に記憶されている多くの情報の中から選択したり、再入力したりする必要がある。
【００１１】
また、移動体通信網を介して通話を行った相手を示す電話番号の履歴などを、図６のユーザ用領域６に記憶しておけば、再ダイアル機能などでも使えるけれども、携帯電子記憶装置には、時間情報を記憶する領域が存在しない。移動体通信用端末側で、電話番号の履歴などを記憶するような仕様であれば、時間情報など充分な情報を含む電話番号履歴を利用することが可能となる。しかしながら、同一の移動体通信用端末装置を複数のユーザが利用する場合に、ユーザ毎に異なった電話番号履歴を記録することはできない。引続いて同じ電話番号履歴を使用するか、電話番号履歴を全部クリアして、何も無い履歴無しの状態から使用を開始する必要がある。また、移動体通信用端末装置側に、ユーザが入力する電話番号帳やアドレスブックなどのデータを記憶しておくようにすると、複数のユーザが同一の移動体通信用端末装置をユーザ毎に異なる携帯電子記憶装置を装着して使用するときに、全部のユーザが入力したデータの全てを表示などが可能であるので、各ユーザ毎に必要なデータを選択することが困難になってしまう。
【００１２】
本発明の目的は、ＩＣカードなどの記憶媒体を用いるＧＳＭ方式などの移動体通信用端末装置で、移動体通信用端末装置側に記憶されているデータを記憶媒体内の情報を利用して自動的に選択する移動体通信用端末装置を提供することである。
【００１３】
【課題を解決するための手段】
本発明は、アプリケーションプログラムの実行が可能な移動体通信用端末装置において、
移動体通信網に接続するための通信設定情報と利用者によって設定されるユーザ設定情報とが記憶され、接続と非接続とが可能な携帯電子記憶装置と、
データが論理的に複数のグループに分割され、各グループは携帯電子記憶装置に記憶される通信設定情報とユーザ設定情報とをそれぞれ単独または組合わせて構成される識別情報に関連付けられて記憶され、さらに識別情報には関連付けられないデフォルトの記憶領域が設けられるデータ記憶部と、
データ記憶部のデータを選択する記憶選択部と、
記憶選択部によって選択されるデータを、アプリケーションプログラムがアクセスするように、データ記憶部の制御を行う記憶制御部とを含み、
記憶選択部は、携帯電子記憶装置が接続されているか否かを判断し、携帯電子記憶装置が接続されているときには携帯電子記憶装置から識別情報を読取り、識別情報によって関連付けられるグループのデータを選択し、携帯電子記憶装置が接続されていないときにはデフォルトの記憶領域のデータを選択し、
携帯電子記憶装置が接続されているときのみ、携帯電子記憶装置に記憶されている通信設定情報に基づいて移動体通信を行うように制御する通信制御部を、
さらに含むことを特徴とする移動体通信用端末装置である。
【００１４】
本発明に従えば、移動体通信用端末装置は、アプリケーションプログラムの実行が可能であり、アプリケーションプログラムがアクセスするデータを記憶するデータ記憶部を有する。データ記憶部は、データを論理的に複数のグループに分割してアクセス可能である。グループを選択する記憶選択部は、識別情報の元になる通信設定情報とユーザ設定情報が記憶される携帯電子記憶装置から通信設定情報およびユーザ設定情報である設定情報を読取り、読取られる設定情報を元に得られる識別情報によって関連付けられるデータ記憶部のグループを選択する。記憶制御部は、記憶選択部によって選択されるグループのデータをアプリケーションプログラムがアクセスするように制御する。異なる設定情報を有する複数の携帯電子記憶装置を使い分ければ、データ記憶部内の異なるグループのデータをアプリケーションプログラムでアクセスすることができる。
また、携帯電子記憶装置には移動体通信網に接続するための通信設定情報と、利用者によって設定されるユーザ設定情報とがそれぞれ単独または組合わせて識別情報を構成し、移動体通信網に接続するための通信設定情報から接続する移動体通信網に合わせたデータのグループを選択したり、ユーザ設定情報からユーザを識別して識別されたユーザに関連するデータのグループを選択することができる。
【００１９】
また本発明で前記携帯電子記憶装置は、前記移動体通信網の標準規格に従って形成され、
携帯電子記憶装置が着脱可能なインタフェースと、
インタフェースに装着されている携帯電子記憶装置から読取る識別情報に基づいて、前記記憶選択部が前記データ記憶部のグループを関連付けて管理するための記憶管理テーブルとを、さらに含むことを特徴とする。
【００２０】
本発明に従えば、携帯電子記憶装置は移動体通信網の標準規格に従って形成され、たとえばＧＳＭ方式の移動体通信網用にはＳＩＭカードとして形成される。移動体通信用端末装置には、携帯電子記憶装置が着脱可能なインタフェースが備えられる。携帯電子記憶装置に記憶されている設定情報に基づく識別情報とデータ記憶部のグループとは、記憶管理テーブルによって関連付けて管理される。記憶選択部は、インタフェースに装着されている携帯電子記憶装置から設定情報を読取って、識別情報に対応付け、記憶管理テーブルを参照してデータのグループの選択を行う。したがって、インタフェースに携帯電子記憶装置を装着すれば、自動的にデータ記憶部のデータのグループが選択されるので、ユーザが選択の操作を行う必要はなく、複数のユーザがそれぞれ移動体通信網の通信事業者と契約し、１つの移動体通信用端末装置を共有するような場合であっても、それぞれのユーザ毎に個別にデータ記憶部内のデータのグループを選択させることができる。同一の移動体通信用端末装置のデータ記憶部内に、個々のユーザ毎にデータベースを自動的に作成することができ、ユーザ毎に記憶領域を設定するような必要はなく、データアクセス時の操作の省略もしくは簡略化を図り、操作性の向上を図ることができる。
【００２１】
また本発明で前記データ記憶部は、
データをグループ別に異なる記憶領域に分けて記憶し、
前記携帯電子記憶装置に記憶される識別情報に関連付けられる記憶領域が無い場合に、該識別情報に関連付けられるグループのデータ記憶用に新たな記憶領域を作成し、前記記憶管理テーブルを更新することを特徴とする。
【００２２】
本発明に従えば、データ記憶部では、データがグループ別に異なる記憶領域に分けて記憶される。データのグループには識別情報が関連付けられるので、記憶領域にもデータのグループと同一の識別情報が関連付けられる。携帯電子記憶装置に記憶される識別情報に関連付けられる記憶領域が無い場合には、その識別情報に関連付けられるグループのデータ記憶用に新たな記憶領域を作成して、管理テーブルを更新する。したがって、新たな識別情報の元になる設定情報を記憶している携帯電子記憶装置が用いられるときには、データ記憶部内に記憶領域が自動的に設定され、ユーザはデータを記憶するための記憶領域を確保するような操作を行う必要はなく、記憶領域の初期化のための操作も省略もしくは簡略化され、操作性の向上を図ることができる。
【００２３】
また本発明で前記記憶制御部は、前記データ記憶部の個々の記憶領域に対するアクセスを、該記憶領域に記憶されるデータのグループについて、前記記憶管理テーブルで関連付けられている識別情報を記憶している携帯電子記憶装置が前記インタフェースに装着されていないときに、禁止することを特徴とする。
【００２４】
本発明に従えば、データ記憶部の個々の記憶領域に対するアクセスは、記憶領域に記憶されるデータのグループについて、記憶管理テーブルで関連付けられる識別情報の元になる設定情報を記憶している携帯電子記憶装置がインタフェースに装着されていないときには禁止される。複数のユーザ間で移動体通信用端末装置を共用する場合であっても、携帯電子記憶装置を交換すれば共有したくないデータを他人には利用させないようにすることができる。たとえば、共有したくないパスワード、アドレス帳や電話番号履歴などを、他人には利用できないな状態で保持しておくことが可能となり、情報の安全性および秘匿性の向上を図ることができる。また、他人に利用させたくないデータを消去し、また次に使うときに改めて入力したりする余分な操作も行う必要がなく、操作性の向上も図ることができる。
【００２５】
また本発明で前記データ記憶部は、記憶されているデータ毎に識別情報が付加されて、識別情報に対応するグループ分けが行われ、
前記記憶選択部は、付加された識別情報が前記識別情報と一致するデータのみを選択し、
前記記憶制御部は、アプリケーションプログラムがデータ記憶部にデータを書込む際に、該識別情報を付して記憶させるように制御することを特徴とする。
【００２６】
本発明に従えば、データ記憶部ではデータ毎に識別情報が付加されてグループ分けが行われる。データのグループの選択は、携帯電子記憶装置に記憶されている設定情報に基づく識別情報と一致する識別情報が付加されているデータのみを選択して行う。データ記憶部にデータを書込む際には、携帯電子記憶装置に記憶されている設定情報に基づく識別情報を付して記憶させるので、異なる設定情報を記憶している携帯電子記憶装置では、データへのアクセスを行うことができないようにして、データのグループ化を行うことができる。また新規の識別情報を有する携帯電子記憶装置を用いるときには、初期化の操作を省略もしくは簡略化して、その識別情報を付加したデータの記憶を行うことができ、操作性を向上させることができる。
【００２７】
また本発明で前記記憶選択部は、前記データ記憶部に対するアクセスを、前記携帯電子記憶装置に記憶されている識別情報と同一の識別情報が付加されているデータに対してのみ可能とすることを特徴とする。
【００２８】
本発明に従えば、携帯電子記憶装置に記憶されている設定情報に基づいて構成される識別情報と同一の識別情報が付加されているデータに対してのみデータ記憶部に対するアクセスを行うことができるので、異なる識別情報に対応するユーザ毎に異なるデータをデータ記憶部に記憶しておいても、識別情報が一致しない限りアクセスすることができなくなる。したがって、共有したくないパスワード、アドレス帳、電話番号履歴等を他の共有者からはアクセスすることができない形でデータ記憶部に記憶しておくことが可能となり、情報の安全性および秘匿性を向上させることができる。
【００２９】
また本発明で前記データ記憶部にグループに分割されて記憶されるデータには、読出しのみが可能な固定データが含まれることを特徴とする。
【００３０】
本発明に従えば、データ記憶部にグループに分割されて記憶されるデータに、読出しのみが可能な固定データが含まれるので、アプリケーションプログラムから変更することができないデータを、識別情報に応じて使いわけることができる。たとえば契約者に対する種々のカスタマサポートを行う電話番号や、ショートメッセジサービスなどを行う電話番号を、ユーザが具体的に意識することなく、識別情報に応じて自動的に選択して利用することができる。また、通信付加サービス事業者の識別情報が含まれていれば、その通信付加サービス事業者が行うネットワークサービスの設定情報なども、識別情報に応じて自動的に選択され、ユーザが選択操作を行ったり情報設定などを行う必要がなく、操作性を向上させることができる。
【００３５】
【発明の実施の形態】
図１は、本発明の実施の一形態の移動体通信用端末装置１０の概略的な論理的構成を示す。移動体通信用端末装置１０は、通信制御部１１がＧＳＭ方式などの移動体通信網との間の無線電波による情報通信を制御する。通信制御部１１が通信を制御するために必要な情報は、外部記憶装置インタフェース１２を介して入力する。通信の対象となる情報は、記憶制御部１３でデータ記憶領域内に記憶されるデータへのアクセスを制御し、アプリケーション処理部１５で実行されるアプリケーションプログラムで処理される。アプリケーションプログラムには通信用が含まれ、固定データ記憶部１６に記憶される固定データも利用して、移動体通信網との間の情報通信を行う。アプリケーションプログラムとしては、通信を行わないものもあり得る。たとえば、固定された住所録の参照を行うアプリケーションプログラムも動作させ得る。
【００３６】
外部記憶装置インタフェース１２には、携帯電子記憶装置２０として、ＳＩＭカードなどのＩＣカードを装着することができる。ＳＩＭカードは、フラッシュメモリなどの半導体記憶素子を含み、標準規格に合わせて形成される外部記憶装置インタフェース１２に装着することによって、通信設定情報２１とユーザ設定情報２２とを読出すことができる。通信設定情報２１およびユーザ設定情報２２は、移動体通信用端末装置１０を通して、ユーザが変更することができたり、もしくは、移動体通信網の利用に応じて自動的に更新される情報を含む。ユーザ設定情報２２としては、電話番号帳、ショートメッセージサービス設定情報およびメッセージ、ダイアル履歴等が対象となる。携帯電子記憶装置２０がＧＳＭ方式のＳＩＭカードであるときには、自局の電話番号、ユーザ電話番号帳、ダイアル履歴、ショートメッセージ、ショートメッセージ設定情報等が所定の領域に記憶される。ＳＩＭカードの通信設定情報２１には、契約者および登録移動体通信網を識別するためのＩＭＳＩ、カードのグループを示すＧＩＤ１／２、通信網の選択の優先順位を示すＰＬＭＮ selector、接続することができない通信網を示すForbidden ＰＬＭＮ等が記憶される。
【００３７】
通信制御部１１は、外部記憶装置インタフェース１２を介して、携帯電子記憶装置２０から読込む通信設定情報２１を通信設定情報３１として取込み、その情報を元に移動体通信網との間の通信制御を行う。たとえば、ＩＭＳＩを利用して接続対象となる移動体通信網を決定し、契約者についての情報を伝達して移動体通信網への接続に関する制御を行う。複数の移動体通信網への接続が可能なときには、ＰＬＭＮ seletorやForbidden ＰＬＭＮなどの情報に基づいて接続する移動体通信網を決定する。
【００３８】
本実施形態の移動体通信用端末装置１０では、携帯電子記憶装置２０に記憶されている通信設定情報２１やユーザ設定情報２２を利用して、データ記憶部１４内のデータをグループに分けて利用することができる。データ記憶部１４は、たとえばフラッシュメモリの数１００ｋバイト〜数Ｍバイトにわたるメモリ空間を複数の記憶領域のブロックに分けて利用する。各記憶領域と識別情報との関連性は、記憶管理テーブル４０を用いて管理する。アプリケーション処理部１５で実行するアプリケーションプログラムは、外部記憶装置インタフェース１２に装着されている携帯電子記憶装置２０に記憶されている識別情報に基づいて記憶管理テーブル４０が関連付けるユーザデータ記憶領域４１〜４ｎのうちの１つを、選択しアクセスすることができる。ユーザデータ記憶領域４１〜４ｎは、データ記憶部１４が有するメモリ空間のうち、必要に応じて割当てられ、残余のメモリ空間は未使用領域５０として残される。未使用領域５０は、後述するように、外部記憶装置インタフェース１２に装着される携帯電子記憶装置２０に記憶される識別情報に対応するユーザデータ記憶領域４１〜４ｎが存在しないときに、新たなユーザデータ記憶領域として割当てられる。ユーザデータ記憶領域を割当てようとするときに未使用領域５０が残っていないときには、アクセスが最も古いユーザデータ記憶領域４１〜４ｎを一旦削除して、新たなユーザデータ記憶領域として割当てる。
【００３９】
固定データ記憶部１６も、フラッシュメモリやマスクＲＯＭなどを用いてデータ記憶部１４と同様に構成する。固定データ記憶部１６内にも記憶管理テーブル６０が設けられ、携帯電子記憶装置２０に記憶される識別情報に基づいて、固定データ記憶領域６１〜６ｍの選択を行う。固定データ記憶部１６は、アプリケーションプログラムからは記憶内容の書込みや変更を行うことはできず、識別情報に基づくグループ分けしたデータの読込みのみが可能となるように、記憶制御部１３が制御する。
【００４０】
図２は、図１の記憶管理テーブル４０，６０の論理的構成を示し、図３はユーザデータ記憶領域４１〜４ｎにそれぞれ記憶されるデータの項目の例を示す。各記憶領域はたとえば携帯電子記憶装置２０の通信設定情報２１に含まれる契約者識別情報および通信事業者識別情報の組合わせを識別情報として関連付けられる。同一のユーザが、異なる通信事業者を使い分けるようなときには、通信事業者識別情報のみを記憶領域に関連付けることもできる。これによって、たとえば通信事業者個別のカスタマサービスを、具体的な電話番号を直接入力しないでも、記憶データを読出して利用することができる。また、同一の通信事業者に対して、異なるユーザが移動体通信用端末装置１０を共用するときには、契約者識別情報のみで記憶領域に関連付けさせることもできる。図２の記憶領域のうちの１番目は、識別情報への関連付けが行われず、自由にアクセスすることができる。図３に示すように、各データ記憶領域は、ユーザと通信事業者との組合わせまたはそれぞれ単独の識別情報に基づいて、住所録、スケジュール、メモ帳、画像データ、音声データ、電話番号履歴データなどに使い分けることができる。さらに安全性および秘匿性を必要とするパスワードなどもユーザ毎あるいは通信事業者毎に分けてアクセスの制御を行うことができる。
【００４１】
図３に示すようなデータは、移動体通信用端末装置１０が備える入力装置を用いて直接入力したり、移動体通信網のネットワークを介してダウンロードしたりして、記憶することができる。入力装置としては、キー、ＬＣＤタブレット、音声などを用いることができる。キーは、テンキーなどで各種データを入力したり、ＬＣＤタブレットでは、ペンや指などで画面表示を組合せてデータを指示して入力したり、スクリーンキーボードでのデータ入力を行うことができ、さらに、音声認識と組合わせて、音声によりデータを入力することもできる。ネットワークでは、アドレスを指定して、インターネットのホームページからサービス情報などを入力することができる。また、パーソナルコンピュータから、赤外線通信などで入力することもできる。
【００４２】
図４は、本発明の実施の他の形態として、データ記憶領域に記憶するデータは、識別情報を付加して記憶し、データへのアクセスは、外部記憶インタフェース１２に装着している携帯電子記憶装置２０に記憶されている通信設定情報およびユーザ設定情報に基づいて構成される識別情報が一致するデータのみに限る場合の記憶データの例を示す。たとえば、住所録データ、スケジュールデータ、メモ帳データ、電話番号履歴データをそれぞれ識別情報を付加して記憶し、識別情報が異なるデータに対するアクセスを禁止することによって、データの使いわけを行うことができる。
【００４３】
本実施形態で、移動体通信用端末装置１０は、たとえば携帯電話機、ファクシミリ装置、ＰＤＡ（Personal Digital Assistant）と略称される携帯型情報処理装置や、自動車に搭載される自動車電話装置なども含まれる。このような移動体通信用端末装置１０では、電話による直接的な通話ばかりではなく、情報通信、たとえば電子メールを利用して、移動しながら都合がよいときに情報を交換することができる。
【００４４】
図５は、図１に示すような移動体通信用端末装置１０で動作するアプリケーションプログラムによるデータへのアクセスの制御手順を示す。ステップｓ１からアプリケーションプログラムの動作が開始する。アプリケーションプログラムは、移動体通信用端末装置１０を、携帯電話機、ファクシミリ装置あるいはＰＤＡなどとして動作させるためのプログラムであり、予め移動体通信用端末装置１０のアプリケーション処理部１５に格納されていたり、携帯電子記憶装置２０とは異なるＩＣカードなどの携帯電子記憶装置や、フロッピーディスクやＣＤ−ＲＯＭなどの記憶媒体、あるいは移動体通信網などからのダウンロードで導入される。ステップｓ２では、アプリケーションプログラムが特定の記憶領域を指定しないで情報のアクセスについての要求を行う。記憶制御部１３では、ステップｓ３で携帯電子記憶装置２０が外部記憶装置インタフェース１２に接続されているか否かを判断する。接続されていれば、ステップｓ４で外部記憶装置インタフェース１２から携帯電子記憶装置２０に設定されている通信設定情報２１およびユーザ登録情報２２などの設定情報の取込みを行う。ステップｓ５では、取込まれた設定情報を識別情報として、記憶管理テーブル４０，６０の検索を行う。ステップｓ６では、設定情報に対応するユーザデータ記憶領域４１〜４ｎが存在しているか否かを判断する。存在していないと判断されるときには、ステップｓ７で、その設定情報に対応するユーザデータ記憶領域を新規に作成する。ステップｓ７では、新規に作成したユーザデータ記憶領域を管理対象とするように、記憶管理テーブル４０の更新を行う。
【００４５】
ステップｓ６で、設定情報に対応するユーザデータ記憶領域４１〜４ｎが存在すると判断されるとき、またはステップｓ７およびステップｓ８で新たなユーザデータ記憶領域が作成されたときには、記憶管理テーブル４０に基づいてアクセスすべきユーザデータ記憶領域をユーザデータ記憶領域４１〜４ｎから選択する。記憶管理テーブル６０を検索して、固定データ記憶部１６に設定情報に対応する固定データ記憶領域６１〜６ｍが存在すると判断されるときには固定データ記憶領域もアクセスすべき記憶領域として選択する。
【００４６】
ステップｓ３で、携帯電子記憶装置が外部記憶装置インタフェース１２に接続されていないと判断されるときには、ステップｓ１０で、予めデフォルトとして決められたアクセスすべき記憶領域を選択する。たとえば図２の例では、記憶領域１については契約者識別情報および通信事業者識別情報を関連付けないで、デフォルトの記憶領域として定めておく。ステップｓ９またはステップｓ１０で、アクセスすべき記憶領域が選択されると、ステップｓ１１で、アプリケーションプログラムが選択された記憶領域のユーザデータにアクセスすることが可能となり、ステップｓ１２で記憶領域の選択の手順を終了する。
【００４７】
なお、ステップｓ４ではアプリケーションプログラムからのデータのアクセス要求があってから携帯電子記憶装置２０の設定情報を取込んでいるけれども、携帯電子記憶装置２０を外部記憶装置インタフェース１２に装着した時点や、移動体通信用端末装置１０の電源を投入したパワーオンの時点で設定情報の取込みを行なっておくこともできる。
【００４８】
また、以上説明した実施形態では、携帯電子記憶装置２０として、ＧＳＭ方式などに用いるＳＩＭカードを利用し、記憶されている設定情報を識別情報としているけれども、磁気的あるいは光学的に情報が記憶されている記憶媒体を用いることもできる。また、携帯電子記憶装置２０は外部記憶装置インタフェース１２に接続して記憶内容の読取りを行っているけれども、直接電気的接続を行わない微弱なマイクロ波などの電波を用いる非接触ＩＤカードシステムなどを適用して識別情報を与えることもできる。
【００４９】
【発明の効果】
以上のように本発明によれば、記憶するデータを、識別情報に従ってグループとして分けて管理し、選択するグループを識別情報の元になる通信設定情報とユーザ設定情報とを記憶している携帯電子記憶装置に応じて選択し、アプリケーションプログラムからのアクセスを選択的に行わせることができる。
また、移動体通信網に接続するための通信設定情報や利用者によって設定されるユーザ設定情報を有効に利用して、グループ化されたデータの選択を行うことができる。
【００５０】
また本発明によれば、識別情報は半導体記憶素子を含む携帯電子記憶装置に記憶される設定情報に基づくので、識別情報の構成を電気的に迅速に行うことができる。
【００５２】
また本発明によれば、移動体通信網の標準規格に従って形成される携帯電子記憶装置をインタフェースに着脱して、データ記憶部のデータのグループを選択することができる。
【００５３】
また本発明によれば、データ記憶部に記憶されるデータは、識別情報に関連するグループ毎の記憶領域に分けて記憶され、記憶領域と識別情報とは記憶管理テーブルで管理され、新たな識別情報に対しては新たな記憶領域が設けられ、記憶管理テーブルの内容が更新されるので、ユーザが新たに記憶領域を設けるような操作を行う必要はなく、操作性の向上を図ることができる。
【００５４】
また本発明によれば、データ記憶部に記憶されているデータは、記憶領域に関連付けられている識別情報が記憶される携帯電子記憶装置をインタフェースに装着していなければ、アプリケーションプログラムからのアクセスを禁止するので、パスワードなど共有したくないデータを、保持を続けながら使いわけることができる。
【００５５】
また本発明によれば、データ記憶部に記憶されるデータは、各データ毎に識別情報が付加されて識別情報に従ってグループ分けが行われ、携帯電子記憶装置に記憶されている識別情報に基づいてデータの選択が行われるので、異なる識別情報が記憶される携帯電子記憶装置でデータのグループを選択的にアクセス可能にすることができる。
【００５６】
また本発明によれば、携帯電子記憶装置に記憶されている設定情報から構成される識別情報と同一の識別情報が付加されているデータに対してのみアクセスが可能となるので、データの安全性および秘匿性を向上させることができる。
【００５７】
また本発明によれば、通信設定情報など、固定して記憶される情報も識別情報に応じて選択して読出し可能にすることができるので、ユーザが切換操作などを行う必要がなく、操作性の向上を図ることができる。
【図面の簡単な説明】
【図１】  本発明の実施の一形態の概略的な論理的構成を示すブロック図である。
【図２】  図１の記憶管理テーブル４０，６０の例を示す図表である。
【図３】  図１のデータ記憶部１４内のデータのグループ化状態の例を示す図である。
【図４】  本発明の実施の他の形態でのデータのグループ化の状態を示す図である。
【図５】  図１の実施形態での記憶領域の選択手順を示すフローチャートである。
【図６】  従来からのＧＳＭ方式に用いるＳＩＭカード１の概略的な正面図と、記憶領域の構成とを示す図である。
【符号の説明】
１０  移動体通信用端末装置
１１  通信制御部
１２  外部記憶装置インタフェース
１３  記憶制御部
１４  データ記憶部
１５  アプリケーション処理部
１６  固定データ記憶部
２０  携帯電子記憶装置
２１，３１  通信設定情報
２２  ユーザ設定情報
３２  契約者登録情報
４０，６０  記憶管理テーブル
４１，４ｎ  ユーザデータ記憶領域
６１〜６ｍ  固定データ記憶領域
【図１】
0003663058.tif 000002
【図２】
0003663058.tif 000003
【図３】
0003663058.tif 000004
【図４】
0003663058.tif 000005
【図５】
0003663058.tif 000006
【図６】
0003663058.tif 000007